(57)【特許請求の範囲】
【請求項１】
押し移動操作により加熱部の加熱開始を指示する加熱指示用操作具が設けられ、この加熱指示用操作具の押し移動を牽制する牽制状態と牽制を解除する解除状態とに切換え操作自在なロック手段が設けられた加熱調理器のロック装置であって、
前記ロック手段が、前記加熱指示用操作具が押し移動されたときにその移動を受止めるための固定側の受止め体と、この受止め体にて受止められる牽制位置と受止めが解除される解除位置とに切換え自在に前記加熱指示用操作具の背部に支持された牽制部材とから構成され、
前記加熱指示用操作具及び前記牽制部材が合成樹脂製であり、
前記牽制部材が、前記加熱指示用操作具に、前記牽制部材の上部の接触部及び下部の接触部を前記加熱指示用操作具の背面に摺動自在に接当させる状態で左右に移動自在に支持され、
被操作部が押し移動されることにより前記加熱部としてのバーナに対してガス燃料を供給する器具栓が、前記加熱指示用操作具に支持された前記牽制部材の前記上部の接触部と前記下部の接触部との間に位置する部分にて前記被操作部を押し移動される状態で設けられている加熱調理器のロック装置。
【請求項２】
前記加熱指示用操作具が、上端側を支点に揺動自在に支持され、かつ、庇状の突部を前面に備える状態に構成され、
前記牽制部材の操作用把持部が、前記加熱指示用操作具における前記庇状の突部の下方側に配設されている請求項１記載の加熱調理器のロック装置。
【発明の詳細な説明】
【技術分野】
【０００１】
本発明は、押し移動操作により加熱部の加熱開始を指示する加熱指示用操作具が設けられ、この加熱指示用操作具の押し移動を牽制する牽制状態と牽制を解除する解除状態とに切換え操作自在なロック手段が設けられた加熱調理器のロック装置に関する。
【背景技術】
【０００２】
かかる加熱調理機器のロック装置は、ガスコンロ等の加熱調理機器において、子供のいたずら操作により、加熱指示用操作具が押し移動操作されることによって、コンロバーナ等の加熱部が不必要に加熱を開始することを回避するようにしたものである。
【０００３】
このような加熱調理機器のロック装置として、従来では、ロック手段が、加熱指示用操作具に一体的に形成した被受止め部と、その被受止め部を加熱指示用操作具が押し移動されたときに受止める牽制位置と受止めを解除する解除位置とに切換え自在に機器ケーシング側に設けた牽制部材とから構成されていた（例えば、特許文献１参照。）。
【先行技術文献】
【特許文献】
【０００４】
【特許文献１】特公平７−３９８６９号公報
【発明の概要】
【発明が解決しようとする課題】
【０００５】
従来の加熱調理機器のロック装置におけるロック手段は、牽制位置と解除位置とに切換えられる牽制部材を、機器ケーシング側に設けて、牽制部材が牽制位置に位置するときに、加熱指示用操作具に一体的に形成した被受止め部を牽制部材にて受止めるように構成されるものであるため、機器ケーシング側に組み付ける部材として、位置変更される牽制部材が存在することにより、機器の設計的負担が大きくなる傾向や機器の組み立て作業が煩雑化する虞があった。
【０００６】
また、牽制部材にて、加熱指示用操作具に一体的に形成した被受止め部が受止められるときに、その被受止め部の形成部分に応力が集中する傾向となるため、加熱指示用操作具を十分な強度にて形成する必要があり、加熱指示用操作具の製作コストが高くなる傾向があった。
つまり、一般に、加熱指示用操作具は、合成樹脂にて成型加工されることになるが、このような場合において、加熱指示用操作具に十分な強度を備えさせるためには、その肉厚を厚くすることや、多数の補強リブを備えさせることが行われることになり、加熱指示用操作具の製作コストが高くなるものであった。
【０００７】
本発明は、上記実情に鑑みて為されたものであって、その目的は、機器の設計的負担を軽減し且つ機器の組み立て作業の煩雑化を抑制することが可能となり、しかも、加熱指示用操作具の製作コストの低下を図ることが可能となる加熱調理器のロック装置を提供する点にある。
【課題を解決するための手段】
【０００８】
本発明の加熱調理器のロック装置は、押し移動操作により加熱部の加熱開始を指示する加熱指示用操作具が設けられ、この加熱指示用操作具の押し移動を牽制する牽制状態と牽制を解除する解除状態とに切換え操作自在なロック手段が設けられたものであって、その第１特徴構成は、
前記ロック手段が、前記加熱指示用操作具が押し移動されたときにその移動を受止めるための固定側の受止め体と、この受止め体にて受止められる牽制位置と受止めが解除される解除位置とに切換え自在に前記加熱指示用操作具の背部に支持された牽制部材とから構成され、
前記加熱指示用操作具及び前記牽制部材が合成樹脂製であり、
前記牽制部材が、前記加熱指示用操作具に、前記牽制部材の上部の接触部及び下部の接触部を前記加熱指示用操作具の背面に摺動自在に接当させる状態で左右に移動自在に支持され、
被操作部が押し移動されることにより前記加熱部としてのバーナに対してガス燃料を供給する器具栓が、前記加熱指示用操作具に支持された前記牽制部材の前記上部の接触部と前記下部の接触部との間に位置する部分にて前記被操作部を押し移動される状態で設けられている点を特徴とする。
【０００９】
すなわち、加熱指示用操作具の背部に牽制位置と解除位置とに切換え自在に支持された牽制部材を牽制位置に切換えれば、加熱指示用操作具が押し移動されたときに、牽制部材が固定側の受止め体にて受止められて、火力調節操作具が押し移動されることが牽制されることになる。そして、牽制部材を解除位置に切換えれば、加熱指示用操作具が押し移動されたときに、牽制部材が固定側の受止め体にて受止められることがなく、火力調節操作具が押し移動されて、加熱部の加熱が開始されることになる。
【００１０】
このように、牽制部材を牽制位置と解除位置とに切換え自在に加熱指示用操作具に支持し、牽制部材を受止める固定側の受止め体を設けることにより、ロック手段を構成するものであるから、機器ケーシング側には、固定側の受止め体を設けるものとなるため、器機の設計的負担を軽減し且つ機器の組み立て作業の煩雑化を抑制することが可能となるのである。
つまり、ロック手段の設置のために、機器ケーシング側に位置変更される部材を支持する構造を設ける必要がないため、位置変更される部材を設置するスペースやその支持部材を設置するスペース等を機器ケーシング側に確保する必要がなくなり、機器の設計的負担が軽減することになる。
【００１１】
さらに、ロック手段の設置のために、機器ケーシング側に位置変更される部材を組み付ける作業が不要となるため、機器の組付作業の煩雑化を抑制できる。
説明を加えると、機器ケーシングには種々の多数の部材を組み付けることになるが、その組み付ける部材として、位置変更される部材が多いほど、機器の組付スペースが狭いこと等に起因して、機器の組付作業が煩雑化することになる。一方、加熱指示用操作具に対して牽制部材を組み付ける作業は、機器の組付作業とは別作業として広い空間にて行えるものとなるため、機器ケーシングに位置変更される部材を組み付けるよりも容易に行えるものとなる。
【００１２】
また、加熱指示用操作具に牽制部材を設けて、その牽制部材を固定側の受止め体にて受止めることにより、加熱指示用操作具の押し移動を受止めるものであるから、加熱指示用操作具の一部に大きな応力が集中して作用することを回避できるため、加熱指示用操作具に備えさせる強度を低下させても不都合は生じないから、加熱指示用操作具の製作コストの低下を図ることが可能となる。
【００１３】
説明を加えると、固定側の受止め体にて牽制部材が受止められたときに、牽制部材に作用する力を加熱指示用操作具にて受止めることになるが、牽制部材は、加熱指示用操作具とは別部材であるから、牽制部材に作用する力を加熱指示用操作具の複数箇所にて受止める、つまり、牽制部材を加熱指示用操作具の複数箇所にて受止めるようにすることができるのであり、加熱指示用操作具の一部に大きな応力が集中して作用することを回避できるのである。
【００１４】
それに加えて、加熱指示用操作具及び牽制部材が合成樹脂製であるから、加熱指示用操作具を外観が美麗で且つ操作性が優れた形状に成形することができ、また、牽制部材を加熱指示用操作具の形状に合わせた形状に成形することができ、製作の容易化を図ることができる。
【００１５】
そして、牽制部材が、加熱指示用操作具に、牽制部材の上部の接触部及び下部の接触部を加熱指示用操作具の背面に摺動自在に接当させる状態で左右に移動自在に支持されているから、牽制部材が固定側の受止め体にて受止められたときに作用する力を、加熱指示用操作具の背面を用いて、加熱指示用操作具の一部に応力が集中することが無い状態で受止めることができるのである。
【００１６】
また、牽制部材を解除位置に切換えた状態で、加熱指示用操作具を押し移動操作すると、その加熱指示用操作具に支持した牽制部材が器具栓の被操作部を押し移動操作することになり、器具栓が加熱部としてのバーナに対してガスを供給して、バーナの加熱、つまり、燃焼が開始されることになる。
【００１７】
器具栓の被操作部を牽制部材にて押し移動操作するときには、牽制部材に作用する力を加熱指示用操作具にて受止めることになるが、上述した如く、牽制部材は、加熱指示用操作具とは別部材であるから、牽制部材に作用する力を加熱指示用操作具の複数箇所にて受止める、つまり、牽制部材を加熱指示用操作具の複数箇所にて受止めるようにすることができるのであり、加熱指示用操作具の一部に大きな応力が集中して作用することを回避できるものとなる。
【００１８】
したがって、加熱指示用操作具に支持した牽制部材にて器具栓の被操作部を押し移動操作するようにしても、加熱指示用操作具の一部に大きな応力が集中して作用することを回避できるため、加熱指示用操作具に備えさせる強度を低下させても不都合は生じないから、加熱指示用操作具の製作コストの低下を図ることが可能となる。
【００２０】
本発明の第２特徴構成は、上記した第１特徴構成に加えて、
前記加熱指示用操作具が、上端側を支点に揺動自在に支持され、かつ、庇状の突部を前面に備える状態に構成され、
前記牽制部材の操作用把持部が、前記加熱指示用操作具における前記庇状の突部の下方側に配設されている点を特徴とする。
【００２１】
すなわち、上端側を支点に揺動自在に支持されている加熱指示用操作具の前面に、庇状の突部を備えているから、加熱指示用操作部を押し移動操作するときに、庇状の突部を押し操作することにより、加熱指示用操作具を移動させること、つまり、加熱指示用操作具を上端側の支点周りで揺動させることを良好に行い易いものとなる。
【００２２】
また、牽制部材を牽制位置と解除位置とに切換えるために、操作者が把持することになる牽制部材の操作用把持部が、加熱指示用操作具における庇状の突部の下方側に配設されているから、加熱開始を指示するために加熱指示用操作具を押し移動操作するときに、牽制部材の操作用把持部が誤操作されることを回避できるものとなる。
【図面の簡単な説明】
【００２８】
【図１】コンロの斜視図
【図２】ガス燃料の流路構成を示す概略図
【図３】コンロバーナを示す縦断側面図
【図４】閉じ状態のコンロ用器具栓を示す縦断側面図
【図５】点火状態のコンロ用器具栓を示す縦断側面図
【図６】開き状態のコンロ用器具栓を示す縦断側面図
【図７】コンロ用器具栓の平面図
【図８】コンロ用火力調節具と弁体との連係を示す平面図
【図９】制御構成を示すブロック図
【図１０】コンロ用操作具及びグリル用操作具の装着部を示す正面図
【図１１】コンロ用操作具及びグリル用操作具の装着部の一部省略斜視図
【図１２】グリル用操作具と牽制部材との分解斜視図
【図１３】図１０のI III−I III線矢視図
【図１４】グリル用操作具を押し移動操作した状態の縦断側面図
【図１５】グリル用操作具の背面図
【図１６】図１５におけるI VI−I VI線矢視図
【発明を実施するための形態】
【００２９】
〔実施形態〕
本発明にかかるガス燃焼機器の火力調節装置を、ガス燃焼機器の一例としてのガスコンロに適用した場合の実施の形態を図面に基づいて説明する。
図１に示すように、例示するガスコンロは、加熱部としての２つのコンロバーナ１Ａ、１Ｂを備えるコンロ部、及び、加熱部としてのグリルバーナ２（図２参照）を装備するグリル部Ｇを備え、そして、キッチンカウンターに組み込まれるビルトインタイプに構成されている。
【００３０】
ガスコンロの上面は、ガラス製のトッププレート３にて覆われ、ガスコンロの上面の後部側には、グリル部Ｇの燃焼排ガスを排気するためのグリル排気口４が形成されている。
２つのコンロバーナ１Ａ、１Ｂの夫々にて加熱される鍋等の被加熱物を載置するための五徳５Ａ、５Ｂが、トッププレート３の上部に設けられている。
【００３１】
ガスコンロの前面には、２つのコンロバーナ１Ａ、１Ｂに対する点火及び消火を指令する押し操作式の一対のコンロ用操作具６Ａ、６Ｂ、グリルバーナ２に対する点火及び消火を指令する押し操作式のグリル用操作具７、２つのコンロバーナ１Ａ、１Ｂの火力を調節する一対のコンロ用火力調節具８Ａ、８Ｂ、及び、グリルバーナ２の火力を調節するグリル用火力調節具９が設けられ、加えて、調理情報等の種々の情報を入力するためのコンロ用設定操作部１０及びグリル用設定操作部１１が設けられている。
尚、ガスコンロの前面には、電池収納部を開閉する電池収納用開閉蓋１２が設けられている。
【００３２】
図２に示すように、都市ガス等の燃料ガスが供給される元ガス供給路１５に、一対のコンロバーナ１Ａ、１Ｂに対するコンロ用分岐路１６Ａ、１６Ｂ、及び、グリルバーナ２に対するグリル用分岐路１７が接続されている。
そして、一対のコンロ用分岐路１６Ａ、１６Ｂの夫々には、コンロ用器具栓１９が配設され、グリル用分岐路１７には、グリル用器具栓２０が配設されている。
尚、グリルバーナ２は、一般に、被加熱物を上方から加熱する上バーナと被加熱物を下方から加熱する下バーナとを備えさせることになり、本実施形態においても、上バーナと下バーナとを備えさせるものであるが、図２においては、上バーナのみを記載して、下バーナの記載を省略し、それに合わせて、グリル用器具栓２０についても、下バーナに対する部分を省略して記載している。
【００３３】
コンロ用器具栓１９は、コンロ用操作具６Ａ、６Ｂの背部箇所に配設され、そして、コンロ用操作具６Ａ、６Ｂの点火操作によりコンロバーナ１Ａ、１Ｂへ燃料を供給する状態に操作され、コンロ用操作具６Ａ、６Ｂの消火操作によりコンロバーナ１Ａ、１Ｂへの燃料供給を停止する状態に操作され、コンロ用火力調節具８Ａ、８Ｂの操作や後述する制御部Ｈ（図９参照）の指令（操作）にてコンロバーナ１Ａ、１Ｂへの燃料供給量を調節するように操作され、加えて、制御部Ｈの指令（操作）によってコンロバーナ１Ａ、１Ｂへの燃料供給を停止する状態に操作されるように構成されている。
【００３４】
グリル用器具栓２０は、グリル用操作具７の背部箇所に配設され、そして、グリル用操作具７の点火操作によりグリルバーナ２へ燃料を供給する状態に操作され、グリル用操作具７の消火操作によりグリルバーナ２への燃料供給を停止する状態に操作され、グリル用火力調節具９の操作や制御部Ｈの指令（操作）にてグリルバーナ２への燃料供給量を調節するように操作され、加えて、制御部Ｈの指令（操作）にてコンロバーナ１Ａ、１Ｂへの燃料供給を停止する状態に操作されるように構成されている。
【００３５】
図２及び図３に示すように、２つのコンロバーナ１Ａ、１Ｂ及びグリルバーナ２の夫々に対して、点火用の点火プラグＰ、熱電対等を用いて構成される着火状態検出用の着火センサＲが装備されている。
尚、グリルバーナ２は、上述の如く、上バーナと下バーナとを備えさせる場合には、夫々のバーナに対して、点火プラグＰ及び着火センサＲが装備されることになる。
【００３６】
また、２つのコンロバーナ１Ａ、１Ｂの夫々に対して、鍋等の被加熱物の存否を検出し且つその温度を検出する被加熱物検出センサＳが装備されている。
この被加熱物検出センサＳは、上下方向に伸縮自在でかつ上方に復帰付勢された伸縮体Ｓ１を備えて、この伸縮体Ｓ１が被加熱物に押されて下方に移動したことを伸縮検知部Ｓ２にて検出することにより被加熱物の存在を検出するように構成され、また、伸縮体Ｓ１の上端部に設けた温度検知部Ｓ３が、被加熱物に接触してその温度を検出するように構成されている。
【００３７】
図９に示すように、マイクロコンピュータを備えて構成されて、ガスコンロの運転を制御する制御部Ｈが設けられている。
すなわち、この制御部Ｈは、コンロ用操作具６Ａ、６Ｂやグリル用操作具７の点火操作に基づいて、コンロバーナ１Ａ、１Ｂやグリルバーナ２に対する点火プラグＰを作動させ且つ着火センサＲにて着火を検出する点火処理、コンロ用操作具６Ａ、６Ｂやグリル用操作具７の消火操作に基づいて、コンロ用器具栓１９やグリル用器具栓２０に装備された安全弁２４（図２参照）を閉じ操作して、コンロバーナ１Ａ、１Ｂやグリルバーナ２への燃料の供給を停止する消火処理、及び、コンロバーナ１Ａ、１Ｂやグリルバーナ２の燃焼中において着火センサＲにて着火が検出されなくなると、上記したコンロ用器具栓１９やグリル用器具栓２０に装備された安全弁２４を閉じ操作して、コンロバーナ１Ａ、１Ｂやグリルバーナ２への燃料の供給を停止する非常停止処理を実行することになる。
【００３８】
さらに、制御部Ｈは、コンロ用設定操作部１０の設定情報や被加熱物検出センサＳの検出情報等に基づいて、コンロ用器具栓１９に装備した火力調節用の電磁弁２６（図２参照）や安全弁２４を操作して、コンロバーナ１Ａ、１Ｂに対する燃料供給量の調整やコンロバーナ１Ａ、１Ｂへの燃料供給を停止する自動調理処理、及び、温度検知部Ｓ３にて異常な高温が検出されると、コンロ用器具栓１９に装備された安全弁２４を閉じ操作して、コンロバーナ１Ａ、１Ｂへの燃料の供給を停止する異常停止処理を実行し、さらに、グリル用設定操作部１１の設定情報等に基づいて、グリル用器具栓２０に装備した火力調節用の電磁弁２６（図２参照）や安全弁２４を操作して、グリルバーナ２に対する燃料供給量の調整やグリルバーナ２に対する燃料供給を停止する自動グリル処理等の各種の処理を実行するように構成されている。
【００３９】
制御部Ｈが実行する自動調理処理としては、変更設定された設定時間が経過すると自動的に消火するタイマ運転処理、温度検知部Ｓ３にて検出される温度が変更設定される目標温度に維持するように火力を大小に調節する揚げもの運転処理、温度検知部Ｓ３にて検出される温度が沸騰を検出すると消火する湯沸し運転処理、及び、運転開始からの時間経過に伴って火力を設定パターンにて変更させる炊飯運転処理等がある。
【００４０】
次に、ガスコンロの詳細について説明を加えるが、一対のコンロバーナ１Ａ、１Ｂの夫々について装備されるコンロ用器具栓１９は、同じ構造であり、かつ、グリルバーナ２について装備されるグリル用器具栓２０は、コンロ用器具栓１９と同様な構造であり、そして、コンロ用器具栓１９及びグリル用器具栓２０の操作構成も同様であるので、以下、左側のコンロバーナ１Ａについて装備されるコンロ器具栓１９を代表して説明して、右側のコンロバーナ１Ｂに対するコンロ用器具栓１９及びグリル用器具栓２０については、左側のコンロバーナ１Ａについて装備されるコンロ器具栓１９について記載する符合と同じ符合を図面に記載することにより、その説明を省略する。
【００４１】
図２及び図４〜図６に示すように、コンロ用器具栓１９は、本体ケーシング２２の内部に、コンロ用操作具６Ａにて開閉操作されるメイン弁２３、閉状態に弾性付勢された電磁操作式の安全弁２４、コンロ用火力調節具８Ａにて操作されるニードル式の流量調整弁２５、及び、火力調節用の電磁弁２６を組み込んで構成されている。
そして、メイン弁２３及び安全弁２４を備える本流路２８に対して、流量調整弁２５及び電磁弁２６を備える主流路２９Ａと、小火用オリフィス２７を備える分岐流路２９Ｂとが、並列状態で接続されており、電磁弁２６の開状態では、ガス燃料が主流路２９Ａ及び分岐流路２９Ｂを通して流動し、電磁弁２６の閉状態では、ガス燃料が分岐流路２９Ｂを通して流動するように構成されている。
【００４２】
ちなみに、制御部Ｈは、自動調理処理を実行するときに、火力調節用の電磁弁２６を開閉操作することにより、大火力状態と小火力状態とに切換えることになる。
そして、大火力状態における火力は、流量調整弁２５の流量調整によって変動することになるため、自動調理処理を実行するときには、大火力状態における火力が適正な火力となるように、コンロ用火力調節具８Ａにて流量調整弁２５を操作することになる。
【００４３】
図４〜図６に示すように、本体ケーシング２２は、複数の鋳造部品をそれらの間にパッキンを介装してボルト固定する状態に組み立てることによって構成され、そして、本体ケーシング２２には、元ガス供給路１５が接続されてガス燃料が供給される導入口３０、及び、コンロバーナ1Ａのガス混合部１ａにガス燃料を噴出するガスノズルＮ（図３参照）に接続される導出口３１が開口されている。そして、本体ケーシング２２の内部には、導入口３０と導出口３１とを連通接続される状態で、本流路２８、主流路２９Ａ、及び、分岐流路２９Ｂが形成されている。
【００４４】
本体ケーシング２２の前端側の下方箇所には、合成樹脂製の支持枠３３がビス止めされる状態で固着され、この支持枠３３に、合成樹脂製のスライダ３４が摺動自在に内嵌されている。
このスライダ３４には、金属製のバルブロッド３５が安全弁２４を構成する弁体２４Ａに向けて延出される状態で固着され、このバルブロッド３５には、メイン弁２３を構成する弁体２３Ａが設けられている。
【００４５】
スライダ３４と支持枠３３との間には、スライダ３４をコンロ前面側に付勢する第１コイルスプリング３６が介装され、メイン弁２３を構成する弁体２３Ａを閉じ側に付勢する第２コイルスプリング３７が介装されている。
メイン弁２３を構成する弁体２３Ａは、コンロ前面側に移動すると閉状態となり、コンロ背面側に移動すると開状態となるものであり、スライダ３４は、第２コイルスプリング３７にても、コンロ前面側に付勢されることになる。
【００４６】
コンロ用操作具６Ａが、上端側の揺動支点Ｑを中心にして、コンロ背面側に向けて押し込み移動操作自在に枢支され、そして、その押し込み移動により、スライダ３４をコンロ背面側に押し込み移動させるように構成されている。
尚、コンロ用操作具６Ａは、その自重によりコンロ背面側に向けて付勢されて、スライダ３４に接当する状態に維持されるように構成されている。ちなみに、右側のコンロバーナ１Ｂに対するコンロ用操作具６Ｂ及びグリル用操作具７についても、左側のコンロバーナ１Ａに対するコンロ用操作具６Ａと同様に、その自重によりコンロ背面側に向けて付勢されて、スライダ３４に接当する状態に維持されるように構成されている。
【００４７】
ちなみに、コンロ用操作具６Ａ、６Ｂ及びグリル用操作具７の背部には、詳細は後述するが、ロック手段Ｅを構成する牽制部材５６が設けられており、この牽制部材５６が、コンロ用操作具６Ａ、６Ｂ及びグリル用操作具７を自重によりコンロ背面側に向けて付勢する錘として作用することになる。そして、コンロ用操作具６Ａ、６Ｂ及びグリル用操作具７は、牽制部材５６にて、スライダ３４をコンロ背面側に押し込み移動させるように構成されている。
【００４８】
スライダ３４の下面には、ほぼハート型のカム溝を備えたハートカム部材３８が取り付けられ、支持枠３３に左右方向に揺動自在に保持されたＵ字状のピン３９の遊端部が、支持枠３３を貫通してハートカム部材３８のカム溝に係合して、いわゆるプッシュ−プッシュ機構が構成されている。
このプッシュ−プッシュ機構は、従来公知であるため詳しい説明は省略するが、このハートカム部材３８とピン３９との協働作用により、両コイルスプリング３６、３７によってコンロ前面側に弾性付勢されたスライダ３４を、コンロ前面側に位置する閉位置Ａ、及び、この閉位置Ａよりもコンロ背面側でかつコンロ背面側に最も大きく押し込んだ点火位置Ｃよりもコンロ前面側の開位置Ｂに保持するように構成されている。
【００４９】
説明を加えると、スライダ３４が閉位置Ａに位置保持されている状態で、コンロ用操作具６Ａを押し込み操作して、閉位置Ａに位置保持されているスライダ３４を点火位置Ｃにまで操作し、その後、コンロ用操作具６Ａに対する押し込み操作を解除すると、スライダ３４が開位置Ｂに弾性復帰移動して、その開位置Ｂに位置保持されることになる。
スライダ３４が開位置Ｂに位置する状態で、コンロ用操作具６Ａを押し込み操作することにより、開位置Ｂに位置保持されているスライダ３４を点火位置Ｃに向けて操作し、その後、コンロ用操作具６Ａ、６Ｂに対する押し込み操作を解除すると、スライダ３４が閉位置Ａに弾性復帰移動して、その閉位置Ａに保持されることになる。
【００５０】
また、支持枠３３の横一側部には、点火用の固定接点や安全用の固定接点などを備えた接点板ブロックＤ（図７、図８参照）が取り付けられ、スライダ３４の摺動に伴って、スライダ３４側に取り付けた可動接点が各固定接点に対する接触状態と非接触状態とに切り換えられるように構成されている。
この接点板ブロックＤの検出情報は、制御部Ｈに入力されて、制御部Ｈが、点火プラブＰの作動、及び、安全弁２４の作動を制御することになる。
【００５１】
次に、コンロ用操作具６Ａの操作に基づく、コンロ用器具栓１９の作動及び制御部Ｈの制御作動についてまとめて説明する。
すなわち、図４に示すように、スライダ３４が閉位置Ａにあるときは、可動接点が点火用の固定接点及び安全用の固定接点に対する非接触状態となり、そして、メイン弁２３の弁体２３Ａが本流路２８を閉じ、且つ、安全弁２４も弾性的に閉弁されて、弁体２４Ａが本流路２８を閉じるように構成されている。
【００５２】
コンロバーナ１Ａを点火すべくコンロ用操作具６Ａを押し込み操作して、スライダ３４を閉位置Ａから押し込むと、メイン弁２３の弁体２３Ａが本流路２８を開き、可動接点が安全用の固定接点に接触する接触状態に切り換えられ、かつ、バルブロッド３５の先端が安全弁２４の弁体２４Ａを押圧して開弁するように構成されている。
さらに、コンロ用操作具６Ａを押し込み操作して、図５に示すように、スライダ３４を点火位置Ｃにまで押し込むと、可動接点が点火用の固定接点に接触する接触状態に切り換えられるので、制御部Ｈが、着火センサＲにて着火が検出されるまで点火プラグＰを作動させる点火処理を実行し、加えて、着火センサＲにて着火が検出されると、安全弁２４を開き状態に保持すべく、安全弁２４に通電することになる。
【００５３】
コンロバーナ１Ａが着火したのち、コンロ用操作具６Ａの押し込み操作を解除すると、図６に示すように、スライダ３４が開位置Ｂにまで弾性復帰してその位置に保持されることになり、可動接点が点火用固定接点に接触しない非接触状態に切り換えられる。
この開位置Ｂにおいては、可動接点が安全用の固定接点に接触する接触状態となっているので、制御部Ｈは、着火センサＲにて着火が検出されているときには、安全弁２４を開き状態に操作することになり、そして、着火センサＲにて着火が検出されないときには、安全弁２４を閉じ状態に操作する非常停止処理を実行することになる。
【００５４】
コンロバーナ１Ａを消火すべくコンロ用操作具６Ａを押し込み操作すると、スライダ３４が閉位置Ａに自動復帰してその位置に保持されることになり、メイン弁２３の弁体２３Ａが本流路２８を閉じることになる。また、この状態においては、可動接点が点火用の固定接点及び安全用の固定接点に対する非接触状態となるので、制御手段Ｈが、安全弁２４を閉じ状態に操作する消火処理を実行することになる。
【００５５】
次に、コンロバーナ１Ａの火力の調整について説明する。
図４〜図６に示すように、弁体ケーシングとしての本体ケーシング２２には、その前端部の開口から主流路２９Ａにまで至る円筒状の挿通孔４１が穿設され、この挿通孔４１の内部に、流量調整弁２５を構成するスライド式弁体としての金属製で且つ円柱状のニードル４２が摺動自在に挿入されている。
そして、ニードル４２が、挿通孔４１に対して摺動することにより、主流路２９Ａと導出口３１とを接続する部分の開度を変更して、主流路２９Ａから導出口３１に向けて流動するガス燃料量を調整するように構成されている。つまり、ニードル４２をコンロ前方側に移動させるほど、主流路２９Ａと導出口３１とを接続する部分の開度が大きくなり、主流路２９Ａから導出口３１に向けて流動するガス燃料量が大きくなって、コンロバーナ１Ａの火力が大きくなるように構成されている。
【００５６】
また、火力調節用の電磁弁２６の弁体２６Ａが、本体ケーシング２２の弁座２６Ｂに対して接当する閉じ状態と弁座２６Ｂから離れる開き状態に切換えられることにより、上述したごとく、電磁弁２６の開状態では、ガス燃料が主流路２９Ａ及び分岐流路２９Ｂを通して流動する大火力状態となり、電磁弁２６の閉状態では、ガス燃料が分岐流路２９Ｂを通して流動する小火力状態となる。この電磁弁２６は、上述の如く、制御部Ｈにて操作されることになる。
【００５７】
流量調整弁２５におけるニードル４２の先端部には、このニードル４２をコンロ用火力調節具８Ａにて摺動操作するための被操作部として、金属製の操作ピン４３が上下方向を向く姿勢で挿入されて固定されている。
ニードル４２がそのスライド方向に沿う軸心周りで回転自在に本体ケーシング２２に支持され、本体ケーシング２２には、操作ピン４３をニードル４２のスライド方向に案内するスリット状溝４４が、本体ケーシング２２の上面から挿通孔４１にまで至り、かつ、挿通孔４１の長手方向に沿う状態で形成されている。
そして、操作ピン４３が、スリット状溝４４の内部を挿通して、本体ケーシング２２から上方に突出する状態で位置するように構成されている。
【００５８】
図４〜図６及び図７に示すように、コンロ用火力調節具８Ａは、板材をレバー状に形成して構成され、そして、本体ケーシング２２の上部に、上下方向に沿う揺動軸心Ｕ周りで左右に揺動自在に枢支されている。つまり、コンロ用火力調節具８Ａが、揺動式のレバー状に構成されている。
そして、その火力調節具８Ａにおける揺動軸心Ｕよりもレバー先端側部分には、操作ピン４３が係合するカム操作孔Ｋが形成されている。
カム操作孔Ｋは、左右方向に伸びる円弧状で、かつ、右端側ほど揺動軸心Ｕに近づく状態に形成されている。
したがって、コンロ用火力調節具８Ａを右側に揺動するほど操作ピン４３がコンロ前方側に移動されて、主流路２９Ａと導出口３１とを接続する部分の開度が大きくなり、主流路２９Ａから導出口３１に向けて流動するガス燃料量が大きくなって、コンロバーナ１Ａの火力が大きくなるように構成されている。
【００５９】
ちなみに、本実施形態では、コンロバーナ１Ａに供給するガス量を調整する往復移動式の弁体としての、前後にスライド移動するニードル４２と、往復移動操作式の火力調節操作具としての、左右方向に揺動操作されるコンロ用火力調節具８Ａとが、カム操作孔Ｋ及び操作ピン４３を主要部として構成されるカム式の連係機構４５にて連係されて、コンロ用火力調節具８Ａの左右方向の揺動操作によりニードル４２が前後にスライド移動されるように構成されることになる。
【００６０】
図４〜図７に示すように、コンロ用火力調節具８Ａの根元側の右横側部に、点火用位置Ｗよりも小火力側に位置するコンロ用火力調節具８Ａを点火用位置Ｗに操作するための被操作片８ａが下方に向けて連設され、そして、スライダ３４には、点火位置Ｃに移動されるときに被操作片８ａを係止して、コンロ用火力調節具８Ａを点火用位置Ｗに移動操作する操作部３４Ａが設けられている。
ちなみに、本実施形態では、スライダ３４に設けた操作部３４Ａが、コンロバーナ1Ａを点火する点火用操作具としてのコンロ用操作具６Ａが点火操作されたときにコンロ用火力調節具８Ａを点火用位置Ｗに操作する操作手段を構成することになる。
【００６１】
したがって、コンロ用操作具６Ａを押し込み操作して、コンロバーナ１Ａを点火させるときに、コンロ用火力調節具８Ａが点火用位置Ｗよりも小火力側に位置する場合においても、コンロ用火力調節具８Ａが点火用位置Ｗに操作されることになり、コンロバーナ１Ａの点火を良好に行えるものとなる。
ちなみに、本実施形態の点火用位置Ｗは、最大火力位置Ｙ１よりも小火力側で、且つ、最大火力位置Ｙ１と最小火力位置Ｙ３との中間の中火力位置Ｙ２よりも大火力側に定められている。
【００６２】
図８に示すように、コンロ用火力調節具８Ａに形成したカム操作孔Ｋにおける操作ピン４３を流量減少側に押圧する大径側内面Ｍ１及び操作ピン４３を流量増大側に押圧する小径側内面Ｍ２が、コンロ用火力調節具８Ａの左右方向での往復移動操作により発生する押付け力にて操作ピン４３が押し付けられる摺動面Ｆとして機能することになる。
また、操作ピン４３が、コンロ用火力調節具８Ａの左右方向での往復移動操作により発生する押付け力にてカム操作孔Ｋの大径側内面Ｍ１及び小径側内面Ｍ２に押付けられた状態でコンロ用火力調節具８Ａの往復移動操作により往復移動する可動体と機能することになる。
【００６３】
そして、カム操作孔Ｋの大径側内面Ｍ１、つまり、ニードル4２を火力減少側に移動させるときに操作ピン４３が摺動する火力減少側の摺動面としての大径側内面Ｍ１と、カム操作孔Ｋの小径側内面Ｍ２、つまり、ニードル4２を火力増大側に移動させるときに操作ピン４３が摺動する火力増大側の摺動面としての小径側内面Ｍ２とのうちの、大径側内面Ｍ１におけるコンロ用火力調節具８Ａが火力調節用移動範囲の特定位置に位置するときに操作ピン４３が位置する箇所に、操作ピン４３が入り込むことによりクリック感を付与するクリック感付与用の凹部Ｚが設けられている。
本実施形態では、コンロ用火力調節具８Ａが火力調節用移動範囲の特定位置に位置するときとして、コンロ用火力調節具８Ａが中火力位置Ｙ２に位置するときに定めて、図８（ａ）に示すように、コンロ用操作具６Ａを操作してコンロバーナ１Ａを点火させたのちにおいて、図８（ｂ）に示すように、点火位置Ｗに位置するコンロ用火力調節具８Ａを中火力位置Ｙ２に操作することを、クリック感を付与することで適切に行えるようにしてある。
【００６４】
つまり、上述した自動調理処理のひとつとしての炊飯運転処理においては、制御部Ｈが、火力調節用の電磁弁２６を開閉操作することにより、大火力状態と小火力状態とに切換えることになり、そして、炊飯運転処理においては、大火力状態における火力は、火力調節範囲の中火力が望ましいものである。
このため炊飯運転処理を行うときには、コンロ用操作具６Ａを操作してコンロバーナ１Ａを点火させた状態において、点火位置Ｗに位置するコンロ用火力調節具８Ａを中火力位置Ｙ２に操作することになるが、このように点火位置Ｗに位置するコンロ用火力調節具８Ａを中火力位置Ｙ２に操作することが、クリック感が付与されることで適切に行えるものとなる。
【００６５】
ところで、本実施形態のコンロ用器具栓１９には、図２示すように、主流路２９Ａの電磁弁２６を装備する部分と並列する状態で追加流路２９Ｃが設けられ、例示はしないが、この追加流路２９Ｃを開閉する追加電磁弁が本体ケーシング２２に装着自在に構成され、また、追加流路２９Ｃには、中火用オリフィスが装着自在に構成されている。
そして、本実施形態においては、追加電磁弁の取り付け座を閉じる蓋体４９が本体ケーシング２２に装着され、そして、追加流路２９Ｃには、これを閉じる閉止体５０が装着されている。
【００６６】
左右のコンロバーナ１Ａ、１Ｂに対するコンロ用操作具６Ａ、６Ｂ、並びに、グリルバーナ２に対するグリル用操作具７の夫々に対して、その押し移動を牽制する牽制状態と牽制を解除する解除状態とに切換え操作自在なロック手段Ｅが設けられている。そして、コンロ用操作具６Ａ、６Ｂ及びグリル用操作具７に対して設けられるロック手段Ｅは、同様な構成であるので、以下、右側のコンロバーナ１Ｂのコンロ用操作具６Ｂ及びグリル用操作具７に対して設けられるロック手段Ｅについて説明する。
【００６７】
図１０及び図１１に示すように、コンロケーシングに組み付けられる操作具装着枠５５が設けられ、この操作具装着枠５５に、コンロ用操作具６Ｂ及びグリル用操作具７が、上端側を支点Ｑに揺動自在に支持されている。
尚、図１１においては、グリル器具栓２０のみを記載して、コンロ用器具栓１９の記載を省略している。また、グリルバーナ２が上バーナと下バーナとを備えるものとして、上下に一対のグリル用火力調節具９が記載されている。
【００６８】
ロック手段Ｅが、コンロ用操作具６Ｂ及びグリル用操作具７が押し移動されたときにその移動を受止めるための固定側の受止め体として、操作具装着枠５５の水平板状部５５Ａの上面に上方に突出する状態で且つ前後方向に伸びる状態で設けた突状部５５Ｂと、左右方向の往復移動により、突状部５５Ｂにて受止められる牽制位置と受止めが解除される解除位置とに切換え自在にコンロ用操作具６Ｂ及びグリル用操作具７の背部に支持された牽制部材５６とから構成されている。
尚、図１０は、コンロ用操作具６Ｂに対するロック手段Ｅが牽制状態であり、グリル用操作具７に対するロック手段Ｅが解除状態である場合を例示している。
【００６９】
すなわち、図１０に示すように、コンロ用操作具６Ｂ及びグリル用操作具７の下端部には、突状部５５Ｂを挿通させる凹部Ｊ１（図１２参照）が形成され、牽制部材５６には、牽制位置において凹部Ｊ１と重複位置し、かつ、解除位置にて凹部Ｊ１を開放する牽制作用部Ｊ２（図１２参照）が設けられている。
ちなみに、図１４に示すように、コンロ用操作具６Ｂ及びグリル用操作具７が押し込み操作された状態においては、コンロ用操作具６Ｂ及びグリル用操作具７における凹部Ｊ１の内部に突状部５５Ｂが突入するように構成されて、コンロ用操作具６Ｂ及びグリル用操作具７を押し込み操作した際には、牽制部材５６を牽制位置に操作することができないようになっている。
【００７０】
コンロ用操作具６Ｂ及びグリル用操作具７に支持した牽制部材５６は、コンロ用操作具６Ｂ及びグリル用操作具７が押し移動されると、コンロ用器具栓１９及びグリル用器具栓２０のスライダ３４を押し移動するように構成されている。
つまり、コンロ用器具栓１９及びグリル用器具栓２０が、コンロ用操作具６Ｂ及びグリル用操作具７に支持した牽制部材５６にてスライダ３４を押し移動される状態で設けられて、コンロ用操作具６Ｂ及びグリル用操作具７が、それに装備した牽制部材５６にて、コンロ用器具栓１９及びグリル用器具栓２０を操作するように構成されている。
【００７１】
コンロ用操作具６Ｂ及びグリル用操作具７が、庇状の突部Ｔ（図１３参照）を前面に備える状態に構成され、そして、牽制部材５６の操作用把持部５６Ａが、コンロ用操作具６Ｂ及びグリル用操作具７における庇状の突部Ｔの下方側に配設されている。
つまり、操作用把持部５６Ａが、コンロ用操作具６Ｂ及びグリル用操作具７の背部側に位置する牽制部材５６から前方に突出する状態に形成され、コンロ用操作具６Ｂ及びグリル用操作具７には、操作用把持部５６Ａを挿通させる開口Ｖが形成されている。
【００７２】
コンロ用操作具６Ｂ及びグリル用操作具７並びに牽制部材５６が合成樹脂製であり、そして、牽制部材５６が、コンロ用操作具６Ｂ及びグリル用操作具７に、その背面に摺動自在に接当する状態で支持されている。
【００７３】
次に、コンロ用操作具６Ｂ及びグリル用操作具７並びに牽制部材５６について説明を加えるが、コンロ用操作具６Ｂ及びグリル用操作具７は同様な構成であるので、以下、グリル用操作具７を代表として、グリル用操作具７並びに牽制部材５６について説明する。
【００７４】
図１２に示すように、グリル用操作具７は、左右の側壁部７Ｌ、７Ｒ、上部壁７Ｕ、及び、前壁７Ｆを備え、背部が開口した形状に形成されている。
上部壁７Ｕには、左右一対の枢支部７ａが上方に突出状態で形成され、上部壁７Ｕにおける左右の枢支部７ａの間には、牽制部材５６の上部に形成した上部被案内部５６Ｂが左右方向に移動自在に係合するスリット状の係合孔７ｂが形成されている。
【００７５】
また、グリル用操作具７の下部には、牽制部材５６の下方に形成した左右の下部被案内部５６Ｃが左右にスライド嵌合する左右一対のＵ字状部７ｃが形成されている。
さらに、前壁７Ｆの背面における開口Ｖの下方側箇所には、牽制部材５６の位置決め用の凸部７ｄが形成されている。
【００７６】
図１２、図１５及び図１６に示すように、牽制部材５６は、上部被案内部５６Ｂ及び左右一対の下部部被案内部５６Ｃが、グリル用操作具７のスリット状係合孔７ｂ及び左右一対のＵ字状部７ｃにて左右方向に移動自在に支持されることにより、左右に移動自在に支持されている。
そして、牽制部材５６は、図１３及び図１４に示すように、その上部の第１接触部５６Ｄが、グリル用操作具７の上壁７Ｕの内面に接当し、その前面側で且つ上部の第２接触部５６Ｅが、グリル用操作具７の前壁７Ｆの内面に接当し、且つ、その前面側で且つ下部の第３接触部５６Ｆ（図１６参照）が、グリル用操作具７の前壁７Ｆの内面に接当する状態で、グリル用操作具７に対して摺動するように構成されている（図４〜６参照）。
【００７７】
つまり、牽制部材５６は、グリル用器具栓２０のスライダ３４を押し移動する際や、受止め用の突状部５５Ｂにて牽制作用部Ｊ２が受止められる際には、第１接触部５６Ｄ、第２接触部５６Ｅ、及び、第３接触部５６Ｆにて、グリル用操作具７に接当することになるため、応力が集中することが抑制される状態でグリル用操作具７にて支持されることになり、また、グリル用操作具７は、応力が集中することが抑制された状態で、牽制部材５６を支持することになる。
【００７８】
ちなみに、牽制部材５６は、上下方向及び前後方向に多少の融通ガタが存在する状態でグリル用操作具７に支持されており、グリル用器具栓２０のスライダ３４を操作するときに、第１〜第３接触部５６Ｄ〜５６Ｆがグリル用操作具７に接触する状態になる。
【００７９】
また、図１６に示すように、牽制部材５６の前面側の下方部分には、前記グリル用操作具７の位置決め用の凸部７ｄ（図１２参照）が係合する左右一対の位置決め用の凹部５６Ｇが、突部５６Ｈにて分離された状態に形成されて、牽制位置および解除位置において、位置決め用の凸部７ｄが位置決め用の凹部５６Ｇに係合することにより、牽制部材５６が牽制位置及び解除位置に位置決めされるように構成されている。
【００８０】
〔別実施形態〕
（１）上記実施形態では、押し移動操作により加熱部の加熱開始を指示する加熱指示用操作具として、押し移動操作により加熱開始（点火）を指示するのに加えて、加熱状態における押し移動操作により加熱停止（消火）を指示するコンロ用操作具６Ａ、６Ｂ、並びに、グリル用操作具７を例示したが、加熱停止を指示する操作具を、加熱指示用操作具とは別個に設ける形態で実施してもよい。
【００８１】
（２）上記実施形態では、加熱指示用操作具としての、コンロ用操作具６Ａ、６Ｂ、並びに、グリル用操作具７が、上端側を支点に揺動される形態にて設けられる場合を例示したが、加熱指示用操作具としては、スライド移動自在に支持される形態で設けても良い。
【００８３】
（３）上記実施形態では、ガス燃焼機器として、コンロバーナとグリルバーナとを備えたコンロを例示したが、本願発明は、グリルバーナを備えないコンロに適用する等、種々のガス燃焼機器に適用することができる。
【符号の説明】
【００８４】
１Ａ    加熱部
１Ｂ    加熱部
２      加熱部
６Ａ    加熱指示用操作具
６Ｂ    加熱指示用操作具
７      加熱指示用操作具
１９    器具栓
２０    器具栓
５５Ｂ  受止め体
５６    牽制部材
５６Ａ  操作用把持部
５６Ｅ 上部の接触部
５６Ｆ 下部の接触部
Ｅ      ロック手段
Ｔ      凸部
【図１】
0005451257.tif 000002
【図２】
0005451257.tif 000003
【図３】
0005451257.tif 000004
【図４】
0005451257.tif 000005
【図５】
0005451257.tif 000006
【図６】
0005451257.tif 000007
【図７】
0005451257.tif 000008
【図８】
0005451257.tif 000009
【図９】
0005451257.tif 000010
【図１０】
0005451257.tif 000011
【図１１】
0005451257.tif 000012
【図１２】
0005451257.tif 000013
【図１３】
0005451257.tif 000014
【図１４】
0005451257.tif 000015
【図１５】
0005451257.tif 000016
【図１６】
0005451257.tif 000017